(57)【要約】【課題】  メッセージ送信後応答を受信するまでの電力消費を節約する。【解決手段】  メッセージ送信装置２の状態切替部２６は、メッセージ送信後に応答受信部２２を休止状態にし、メッセージ送信後状態切替時間（＝推定待ち時間−保護時間）経過後に応答受信部２２を受信待ち状態にする。応答調整装置３は、相手装置４によって送信されて応答受信部３６によって受信された応答を応答蓄積部３７に記憶し、メッセージ受信後推定待ち時間経過後に応答送信部３８は応答蓄積部３７に記憶されている応答をメッセージ送信装置２に対して送信する。【選択図】      図１
2007028499.tif 000002
【特許請求の範囲】
【請求項１】
メッセージ送信装置と、前記メッセージ送信装置と通信する相手装置と、前記メッセージ送信装置と前記相手装置との通信経路上にあり、前記メッセージ送信装置と前記相手装置と通信する応答調整装置とを有する通信システムであって、
前記メッセージ送信装置は、
メッセージを送信するメッセージ送信手段と、
前記メッセージに対する応答を受信する第１応答受信手段と、
予め定められた推定待ち時間を記憶する第１記憶手段と、
前記メッセージ送信手段により前記メッセージが送信されてからの経過時間、或いは、前記メッセージに対する前記応答調整装置の通知を受信してからの経過時間を計時する第１計時手段と、
前記メッセージ送信手段により前記メッセージが送信されると、或いは、前記メッセージに対する前記応答調整装置の通知を受信すると前記第１応答受信手段を休止状態とし、前記第１計時手段による計時時間が前記第１記憶手段に記憶されている前記推定待ち時間になると前記第１応答受信手段を受信待ち状態とする状態切替手段と、
を備え、
前記応答調整装置は、
前記メッセージ送信装置によって送信される前記メッセージを受信し、メッセージを前記相手装置へ送信するメッセージ送受信手段と、
前記推定待ち時間を記憶する第２記憶手段と、
前記メッセージ送受信手段により前記メッセージが受信されてからの経過時間を計時する第２計時手段と、
前記相手装置によって送信される応答を受信する第２応答受信手段と、
前記第２応答受信手段により受信される前記応答を記憶する応答蓄積手段と、
前記第２計時手段による計時時間が前記第２記憶手段に記憶されている前記推定待ち時間になると前記応答蓄積手段に記憶されている前記応答を前記メッセージ送信装置に送信する第１応答送信手段と、
を備え、
前記相手装置は、
前記応答調整装置によって送信される前記メッセージを受信するメッセージ受信手段と、
前記メッセージ受信手段により受信される前記メッセージに対する応答を前記応答調整装置へ送信する第２応答送信手段と、
を備えたことを特徴とする通信システム。
【請求項２】
前記第１記憶手段は、さらに、前記第１応答受信手段を前記推定待ち時間経過前に受信待ち状態とするために予め定められた保護時間を記憶しており、
前記状態切替手段は、前記第１計時手段による計時時間が前記第１記憶手段に記憶されている前記推定待ち時間になった場合に前記第１応答受信手段を受信待ち状態とする代わりに、前記第１計時手段による計時時間が前記第１記憶手段に記憶されている前記推定待ち時間から前記保護時間を減算した時間になると前記第１応答受信手段を受信待ち状態とすることを特徴とする請求項１記載の通信システム。
【請求項３】
前記メッセージ送信装置は無線端末であることを特徴とする請求項１または請求項２記載の通信システム。
【請求項４】
前記応答調整装置は基地局或いは無線アクセス網ゲートウェイであることを特徴とする請求項１から請求項３の何れか１項に記載の通信システム。
【請求項５】
前記第１記憶手段および前記第２記憶手段は、メッセージの種別毎に前記推定待ち時間を記憶していることを特徴とする請求項１から請求項４の何れか１項に記載の通信システム。
【請求項６】
メッセージを送信するメッセージ送信手段と、
前記メッセージに対する応答を受信する応答受信手段と、
予め定められた推定待ち時間を記憶する記憶手段と、
前記メッセージ送信手段により前記メッセージが送信されてからの経過時間、或いは、前記メッセージに対する応答調整装置の通知を受信してからの経過時間を計時する計時手段と、
前記メッセージ送信手段により前記メッセージが送信されると、或いは、前記メッセージに対する前記応答調整装置の通知を受信すると前記応答受信手段を休止状態とし、前記計時手段による計時時間が前記記憶手段に記憶されている前記推定待ち時間になると前記応答受信手段を受信待ち状態とする状態切替手段と、
を備えたことを特徴とするメッセージ送信装置。
【請求項７】
前記記憶手段は、さらに、前記応答受信手段を前記推定待ち時間経過前に受信待ち状態とするために予め定められた保護時間を記憶しており、
前記状態切替手段は、前記計時手段による計時時間が前記記憶手段に記憶されている前記推定待ち時間になった場合に前記応答受信手段を受信待ち状態とする代わりに、前記計時手段による計時時間が前記記憶手段に記憶されている前記推定待ち時間から前記保護時間を減算した時間になると前記応答受信手段を受信待ち状態とすることを特徴とする請求項６記載のメッセージ送信装置。
【請求項８】
メッセージ送信装置と前記メッセージ送信装置と通信する相手装置との通信経路上にあり、前記メッセージ送信装置と前記相手装置と通信する応答調整装置であって、
前記メッセージ送信装置によって送信されるメッセージを受信し、メッセージを前記相手装置へ送信するメッセージ送受信手段と、
予め定められた推定待ち時間を記憶する記憶手段と、
前記メッセージ送受信手段により前記メッセージが受信されてからの経過時間を計時する計時手段と、
前記相手装置によって送信される応答を受信する応答受信手段と、
前記応答受信手段により受信される前記応答を記憶する応答蓄積手段と、
前記計時手段による計時時間が前記記憶手段に記憶されている前記推定待ち時間になると前記応答蓄積手段に記憶されている前記応答を前記メッセージ送信装置に送信する応答送信手段と、
を備えたことを特徴とする応答調整装置。
【発明の詳細な説明】
【技術分野】
【０００１】
本発明は、メッセージの送信および応答を行う通信システム、並びにこの通信システムを構成するメッセージ送信装置および応答調整装置に関する。
【背景技術】
【０００２】
多くの通信システムにおいて、端末装置（以下、端末と略す）は、ネットワーク装置、サーバ装置、他の端末などの相手装置に対して、情報の通知や要求を行うメッセージの送信を行う。相手装置は、これらのメッセージを受信し、メッセージの受信やその要求に対する回答を表す応答を行う。この「メッセージ送信」と「応答」は多くのプロトコル層で実行される。
端末がメッセージの送信から応答を受け取るまでの時間（応答待ち時間）は、メッセージが相手装置に到着するまでに要する時間と、相手装置におけるメッセージ処理時間と、応答が相手装置からメッセージを送信した端末に到着するまでに要する時間との和である。この待ち時間は、不確定要素を含むため、メッセージの送信を行った端末は、応答を待つ間、いつ応答が来ても応答を受信できるように「受信待ち状態」にある。
【０００３】
なお、無線端末の場合は、フレーム内の特定の時間だけを受信待ちにし、その他は休止するという技術がある。この場合も、どのフレームに対して、応答が来るか不明であるため、フレーム内の一部であるが、各フレームで受信待ち状態とする必要がある。
なお、上記においては、メッセージは端末が送信するとして記述したが、それ以外の装置の場合も同様である。
【非特許文献１】「絵ときＡＴＭネットワーク・バイブル」、株式会社オーム社、平成７年２月２８日
【非特許文献２】「要点チェック式Ｈ．３２３／ＭＰＥＧ−４教科書」、株式会社ＩＥインスティチュート、２００１年４月１６日
【発明の開示】
【発明が解決しようとする課題】
【０００４】
端末がメッセージ送信後に応答の受信待ち状態となって応答の受信を待ち続けることは、応答の待ち時間が長い場合、端末の電力消費が大きくなるという問題がある。特に、無線端末などの電力に制約のある端末にとっては好ましくない。
そこで、本発明は、メッセージ送信後応答を受信するまでの電力消費を節約することができる通信システム、メッセージ送信装置、および応答調整装置を提供することを目的とする。
【課題を解決するための手段】
【０００５】
請求項１に記載の通信システムは、メッセージ送信装置と、前記メッセージ送信装置と通信する相手装置と、前記メッセージ送信装置と前記相手装置との通信経路上にあり、前記メッセージ送信装置と前記相手装置と通信する応答調整装置とを有する通信システムであって、前記メッセージ送信装置は、メッセージを送信するメッセージ送信手段と、前記メッセージに対する応答を受信する第１応答受信手段と、予め定められた推定待ち時間を記憶する第１記憶手段と、前記メッセージ送信手段により前記メッセージが送信されてからの経過時間、或いは、前記メッセージに対する前記応答調整装置の通知を受信してからの経過時間を計時する第１計時手段と、前記メッセージ送信手段により前記メッセージが送信されると、或いは、前記メッセージに対する前記応答調整装置の通知を受信すると前記第１応答受信手段を休止状態とし、前記第１計時手段による計時時間が前記第１記憶手段に記憶されている前記推定待ち時間になると前記第１応答受信手段を受信待ち状態とする状態切替手段と、を備え、前記応答調整装置は、前記メッセージ送信装置によって送信される前記メッセージを受信し、メッセージを前記相手装置へ送信するメッセージ送受信手段と、前記推定待ち時間を記憶する第２記憶手段と、前記メッセージ送受信手段により前記メッセージが受信されてからの経過時間を計時する第２計時手段と、前記相手装置によって送信される応答を受信する第２応答受信手段と、前記第２応答受信手段により受信される前記応答を記憶する応答蓄積手段と、前記第２計時手段による計時時間が前記第２記憶手段に記憶されている前記推定待ち時間になると前記応答蓄積手段に記憶されている前記応答を前記メッセージ送信装置に送信する第１応答送信手段と、を備え、前記相手装置は、前記応答調整装置によって送信される前記メッセージを受信するメッセージ受信手段と、前記メッセージ受信手段により受信される前記メッセージに対する応答を前記応答調整装置へ送信する第２応答送信手段と、を備えたことを特徴とする。
【０００６】
請求項２に記載の通信システムは、前記第１記憶手段は、さらに、前記第１応答受信手段を前記推定待ち時間経過前に受信待ち状態とするために予め定められた保護時間を記憶しており、前記状態切替手段は、前記第１計時手段による計時時間が前記第１記憶手段に記憶されている前記推定待ち時間になった場合に前記第１応答受信手段を受信待ち状態とする代わりに、前記第１計時手段による計時時間が前記第１記憶手段に記憶されている前記推定待ち時間から前記保護時間を減算した時間になると前記第１応答受信手段を受信待ち状態とすることを特徴とする。
請求項３に記載の通信システムは、前記メッセージ送信装置は無線端末であることを特徴とする。
請求項４に記載の通信システムは、前記応答調整装置は基地局或いは無線アクセス網ゲートウェイであることを特徴とする。
請求項５に記載の通信システムは、前記第１記憶手段および前記第２記憶手段は、メッセージの種別毎に前記推定待ち時間を記憶していることを特徴とする。
【０００７】
請求項６に記載のメッセージ送信装置は、メッセージを送信するメッセージ送信手段と、前記メッセージに対する応答を受信する応答受信手段と、予め定められた推定待ち時間を記憶する記憶手段と、前記メッセージ送信手段により前記メッセージが送信されてからの経過時間、或いは、前記メッセージに対する応答調整装置の通知を受信してからの経過時間を計時する計時手段と、前記メッセージ送信手段により前記メッセージが送信されると、或いは、前記メッセージに対する前記応答調整装置の通知を受信すると前記応答受信手段を休止状態とし、前記計時手段による計時時間が前記記憶手段に記憶されている前記推定待ち時間になると前記応答受信手段を受信待ち状態とする状態切替手段と、を備えたことを特徴とする。
請求項７に記載のメッセージ送信装置は、前記記憶手段は、さらに、前記応答受信手段を前記推定待ち時間経過前に受信待ち状態とするために予め定められた保護時間を記憶しており、前記状態切替手段は、前記計時手段による計時時間が前記記憶手段に記憶されている前記推定待ち時間になった場合に前記応答受信手段を受信待ち状態とする代わりに、前記計時手段による計時時間が前記記憶手段に記憶されている前記推定待ち時間から前記保護時間を減算した時間になると前記応答受信手段を受信待ち状態とすることを特徴とする。
【０００８】
請求項８に記載の応答調整装置は、メッセージ送信装置と前記メッセージ送信装置と通信する相手装置との通信経路上にあり、前記メッセージ送信装置と前記相手装置と通信する応答調整装置であって、前記メッセージ送信装置によって送信されるメッセージを受信し、メッセージを前記相手装置へ送信するメッセージ送受信手段と、予め定められた推定待ち時間を記憶する記憶手段と、前記メッセージ送受信手段により前記メッセージが受信されてからの経過時間を計時する計時手段と、前記相手装置によって送信される応答を受信する応答受信手段と、前記応答受信手段により受信される前記応答を記憶する応答蓄積手段と、前記計時手段による計時時間が前記記憶手段に記憶されている前記推定待ち時間になると前記応答蓄積手段に記憶されている前記応答を前記メッセージ送信装置に送信する応答送信手段と、を備えたことを特徴とする。
【発明の効果】
【０００９】
本発明によれば、メッセージ送信装置がメッセージ送信後或いはメッセージに対する応答調整装置の通知の受信後に一定期間メッセージ送信装置を受信を休止する休止状態にすることを可能にするために、メッセージ送信装置でのメッセージ送信後応答を受信するまでの電力消費を節約することができる。
【発明を実施するための最良の形態】
【００１０】
以下、本発明を実施するための最良の形態について図面を参照しつつ説明する。
まず、本発明の実施の形態における通信システムの構成について図１を参照しつつ説明する。図１は、本実施の形態の通信システムの構成を示す構成図である。
図１に示すように、通信システム１においては、端末などのメッセージ送信装置２、およびサーバやＡＰＳ（アプリケーションサーバ）などの相手装置４が設置され、メッセージ送信装置２と相手装置４との通信経路上に応答調整装置３が設置されている。
【００１１】
メッセージ送信装置２は、メッセージ送信部２１、応答受信部２２、タイマ２３、記憶部２４は、タイマ設定部２５、および状態切替部２６として動作する。
メッセージ送信部２１は、メッセージを生成し、生成したメッセージをネットワーク経由で応答調整装置３へ送信する。
応答受信部２２は、応答調整装置３の後述する応答送信部３８によって送信された応答をネットワーク経由で受信する。
タイマ２３は、時間を計時する。
【００１２】
記憶部２４は、推定待ち時間と保護時間とを記憶する。
推定待ち時間は、本発明を適用しない場合の応答待ち時間の最大値として推定される時間である。本発明を適用しない場合の応答待ち時間は、上述したように、メッセージが相手装置に到着するまでに要する時間と、相手装置におけるメッセージ処理時間と、応答が相手装置からメッセージを送信した端末などのメッセージ送信装置に到着するまでに要する時間との和である。このことから、相手装置でのメッセージ処理時間や各種タイムアウト時間などを考慮して、推定待ち時間を設定し、例えば２０秒と設定する。
保護時間は、推定待ち時間になった時点でメッセージ送信装置２が「休止状態」から「受信待ち状態」になった場合、推定待ち時間になった時点で応答調整装置３によって送出された応答を受信できない恐れもあることから、推定待ち時間より早くにメッセージ送信装置２が「休止状態」から「受信待ち状態」になるように設けられた時間である。つまり、後述するように、メッセージ送信装置２は、メッセージを送信してから、推定待ち時間から保護時間を減算した時間が経過すると「休止状態」から「受信待ち状態」になる。
【００１３】
タイマ設定部２５は、メッセージ送信部２１からメッセージ送信をしたことを示す信号が入力されると、タイマ２３の計時時間を「０」にする。これにより、タイマ２３は、メッセージ送信後に経過した時間を計時することになる。
状態切替部２６は、メッセージ送信部２１からメッセージを送信したことを示す信号が入力されると、応答受信部２２の動作を止めて応答受信部２２を「休止状態」にする。
また、状態切替部２６は、メッセージ送信部２１からメッセージを送信したことを示す信号が入力されると、記憶部２４に記憶されている推定待ち時間と保護時間とを記憶部２４から取り出す。続いて、状態切替部２６は、取り出した推定待ち時間から保護時間を減算する（推定待ち時間−保護時間：以下、状態切替時間という）。そして、状態切替部２６は、タイマ２３の計時時間を利用して、メッセージを送信してから状態切替時間が経過したか否かを判断し、経過していれば、応答受信部２２を動作させて応答受信部２２を「休止状態」から「受信待ち状態」にする。
【００１４】
応答調整装置３は、メッセージ受信部３１、メッセージ送信部３２、タイマ３３、記憶部３４、タイマ設定部３５、応答受信部３６、応答蓄積部３７、および応答送信部３８として動作する。
メッセージ受信部３１は、メッセージ送信装置２のメッセージ送信部２１によって送信されたメッセージをネットワーク経由で受信する。
メッセージ送信部３２は、メッセージ受信部３１によって受信され、メッセージ受信部３１から入力されるメッセージを相手装置４に対してネットワーク経由で送信する。
タイマ３３は、時間を計時する。
【００１５】
記憶部３４は、推定待ち時間を記憶する。ここで、メッセージの送受信および応答の送受信を行うメッセージ送信装置２と応答調整装置３との間では同じ値の推定待ち時間の設定が行われる。
タイマ設定部３５は、メッセージ受信部３１からメッセージを受信したことを示す信号が入力されると、タイマ３３の計時時間を「０」にする。これにより、タイマ３３は、メッセージを受信した後に経過した時間を計時することになる。
応答受信部３６は、相手装置４の後述する応答送信部４２によって送信された応答をネットワーク経由で受信し、受信した応答を応答蓄積部３７に格納する。
応答蓄積部３７は、応答受信部３６によって受信された応答を記憶する。
応答送信部３８は、メッセージ受信部３１からメッセージを受信したことを示す信号が入力されると、記憶部３４に記憶されている推定待ち時間を記憶部３４から取り出す。そして、応答送信部３８は、タイマ３３の計時時間を利用して、メッセージを受信してから推定待ち時間が経過したか否かを判断し、経過していれば、応答蓄積部３７に記憶されている応答を取り出し、取り出した応答をメッセージ送信装置２に対してネットワーク経由で送信する。
【００１６】
相手装置４は、メッセージ受信部４１、および応答送信部４２として動作する。
メッセージ受信部４１は、応答調整装置３のメッセージ送信部３２によって送信されたメッセージをネットワーク経由で受信する。
応答送信部４２は、メッセージ受信部４１によって受信され、メッセージ受信部４１から入力されるメッセージに基づき応答を生成する。そして、応答送信部４２は、生成した応答を応答調整装置３に対してネットワーク経由で送信する。
【００１７】
次に、上述した通信システムにおいて行われるメッセージの送信および応答の処理について図２を参照しつつ説明する。図２は、図１の通信システムにおいて行われるメッセージの送信および応答の処理の流れを示すシーケンス図である。
メッセージ送信装置２のメッセージ送信部２１は、メッセージを生成して応答調整装置３に対して送信する。応答調整装置３のメッセージ受信部３１はメッセージ送信装置２のメッセージ送信部２１により送信されたメッセージを受信する（ステップＳ１０１）。
メッセージ送信後、タイマ設定部２５はタイマ２３の計時時間を「０」にし（ステップＳ１０２）、状態切替部２６は応答受信部２２の動作を止めて応答受信部２２を「休止状態」にする（ステップＳ１０３）。
【００１８】
状態切替部２６は、記憶部２４に記憶されている推定待ち時間と保護時間とを記憶部２４から取り出し、取り出した推定待ち時間から保護時間を減算して状態切替時間を算出する（ステップＳ１０４）。
状態切替部２６は、タイマ２３の計時時間を利用して、メッセージを送信してから状態切替時間が経過したか否かを判断し（ステップＳ１０５）、経過していなければ（Ｓ１０５：ＮＯ）ステップＳ１０５の処理に戻る。一方、経過していれば（Ｓ１０５：ＹＥＳ）、ステップＳ１０６の処理へ進み、状態切替部２６は、応答受信部２２を動作させて応答受信部２２を「休止状態」から「受信待ち状態」にする（ステップＳ１０６）。
上記のステップＳ１０２〜ステップＳ１０６の処理により、メッセージ送信装置２の応答受信部２２はメッセージ送信部２１によりメッセージが送信されてから状態切替時間が経過するまでの期間動作を停止することになる。
【００１９】
応答調整装置３のメッセージ送信部３２はメッセージ受信部３１によって受信されたメッセージを相手装置４に対して送信する。相手装置４のメッセージ受信部４１は応答調整装置３のメッセージ送信部３２により送信されたメッセージを受信する（ステップＳ１０７）。メッセージ受信後、応答調整装置３のタイマ設定部３５はタイマ３３の計時時間を「０」にし（ステップＳ１０８）、応答送信部３８は、記憶部３４に記憶されている推定待ち時間を記憶部３４から取り出す（ステップＳ１０９）。
相手装置４の応答送信部４２はメッセージ受信部４１によって受信されたメッセージに基づき応答を生成し、生成した応答を応答調整装置３に対して送信する。応答調整装置３の応答受信部３６は相手装置４の応答送信部４２により送信された応答を受信する（ステップＳ１１０）。
【００２０】
応答調整装置３の応答受信部３６は受信した応答を応答蓄積部３７に格納し、これにより、相手装置４により送信された応答が応答蓄積部３７に記憶されることになる（ステップＳ１１１）。
応答送信部３８は、タイマ３３の計時時間を利用して、メッセージを受信してから推定待ち時間が経過したか否かを判断し（ステップＳ１１２）、経過していなければ（Ｓ１１２：ＮＯ）ステップＳ１１２の処理に戻る。一方、経過していれば（Ｓ１１２：ＹＥＳ）、ステップＳ１１３の処理へ進む。
【００２１】
応答送信部３８は、応答蓄積部３７に記憶されている応答を取り出し、取り出した応答をメッセージ送信装置２に対して送信する。メッセージ送信装置２の応答受信部２２は応答調整装置３の応答送信部３８により送信された応答を受信する（ステップＳ１１３）。
なお、応答調整装置３は、相手装置４から受信した応答を応答蓄積部３７に記憶し、応答送信部３８により推定待ち時間が経過した時点で応答蓄積部３７に記憶されている応答をメッセージ送信装置２に送信する。このため、メッセージ送信装置２がメッセージを送信してから応答を受信するまでの期間を一定にすることができるようになっている。
【００２２】
以上説明したように、本実施の形態の通信システム１によれば、メッセージ送信装置２と相手装置４との通信経路上に応答調整装置３が設けられ、メッセージ送信装置２と相手装置４との間のメッセージの送受信および応答の送受信は応答調整装置３を介して行われる。そして、メッセージ送信装置２の応答受信部２２は、メッセージ送信部２１によってメッセージが送信されてから状態切替時間（＝推定待ち時間−保護時間）が経過するまでの間動作を停止し（休止状態）、状態切替時間が経過した時点で動作を行う（受信待ち状態）。また、応答調整装置３は、相手装置４から応答を受信すると、受信した応答を応答蓄積部３７に記憶する。そして、応答調整装置３は、メッセージ受信部３１がメッセージを受信してから推定待ち時間が経過した時点で応答蓄積部３７に記憶されている応答をメッセージ送信装置２に対して送信する。
このように、メッセージ送信装置２の応答受信部２２は、メッセージ送信部２１によってメッセージが送信されてから状態切替時間が経過するまでの間動作を停止する（受信休止状態）ため、応答受信部２２により消費される消費電力を節約することが可能になる。
また、メッセージ送信装置２の応答受信部２２は、メッセージを送信してから推定待ち時間より前の状態切替時間（＝推定待ち時間−保護時間）が経過した時点で動作を行う（受信待ち状態）ため、応答調整装置３がメッセージを受信してから推定待ち時間が経過した時点で送出する応答を確実に受信することが可能になる。
なお、応答調整装置３を、無線アクセス網ゲートウェイ（Ｒａｄｉｏ  Ａｃｃｅｓｓ  Ｎｅｔｗｏｒｋ  Ｇａｔｅｗａｙ）などの既存の装置に上記の各部３１〜３７の機能を実装することによって実現することができる。
【００２３】
以下、本発明の他の実施の形態について図面を参照しつつ説明する。
まず、本発明の他の実施の形態の構成について図３を参照しつつ説明する。図３は本実施の形態の通信システムの構成を示す構成図である。
図３においては、端末１１０、基地局１２０、ＲＡＮ−ＧW１３０、交換装置１４０、認証サーバ１５０、およびＡＰＳ（アプリケーションサーバ）１６０が設けられている。ただし、無線チャネルの割り当て、認証、ユーザ情報の送受信、無線チャネルの開放などが行われ、端末１１０からＡＰＳ１６０への一連の通信において、各装置（端末１１０、基地局１２０、ＲＡＮ−ＧW１３０、交換装置１４０、認証サーバ１５０、ＡＰＳ１６０）の間で多くの「メッセージ送信」と「応答」が繰り返し行われる。本実施の形態では、その中でユーザ情報通知（メッセージ送信の一つ）とその応答に対して一定期間端末１１０が受信を休止するものとして説明する。なお、一定期間端末１１０が受信を休止することはその他のメッセージ送信とその応答に対しても適用できる。
【００２４】
端末１１０は、無線端末などであって、基地局１２０を介してその他の装置と通信を行う。なお、本実施の形態では、端末１１０がメッセージを送信するメッセージ送信装置であるとして説明を行う。
ＲＡＮ−ＧW１３０は、無線アクセス網ゲートウェイ（ＲＡＮ−ＧW：Ｒａｄｉｏ  Ａｃｃｅｓｓ  Ｎｅｔｗｏｒｋ  Ｇａｔｅｗａｙ）であって、交換装置１４０などにより構成されるコア網に対して、無線アクセス網特有の処理の多くを終端するものである。なお、本実施の形態では、ＲＡＮ−ＧW１３０が応答調整装置であるとして説明する。
認証サーバ１５０は、端末１１０が本システムの構成要素として、ネットワークサービスを受ける資格を有するかを認証する装置である。
ＡＰＳ１６０は、端末１１０と通信して、必要な情報を提供し、端末１１０からの情報を基に所定の情報処理を行う。なお、本実施の形態では、ＡＰＳ１６０が相手装置であるとして説明する。
【００２５】
ここで、図３の端末１１０と基地局１２０との間の無線リンクで使用されるフレームの構造について図４を参照しつつ説明する。図４は端末１１０と基地局１２０との間の無線リンクで使用されるフレームの構造を示す図である。
ＢＣＨ（Ｂｒｏａｄｃａｓｔｉｎｇ  Ｃｏｎｔｒｏｌ  Ｃｈａｎｎｅｌ）は、報知チャネルであって、基地局１２０から端末１１０を呼び出す場合などに使用される。
下りユーザチャネルは、基地局１２０から端末１１０の方向への情報を運ぶチャネルである。内部は通信中の各端末１１０が使用するために各端末１１０対応のサブチャネルに分割されている。
【００２６】
上りユーザチャネルは、端末１１０から基地局１２０の方向への情報を運ぶチャネルである。内部は通信中の各端末１１０が使用するために各端末１１０対応のサブチャネルに分割されている。
ＲＣＨ（Ｒａｎｄｏｍ  Ａｃｃｅｓｓ  Ｃｈａｎｎｅｌ）は、ランダムアクセスチャネルであって、端末１１０が基地局１２０に対して通信のためのユーザチャネルを要求する場合に使用される。
なお、本実施の形態においては、端末１１０にユーザチャネル内の特定のサブチャネルを割り当てた後は、送受信情報の有無に拘わらず、一連の通信が終了するまで、特定のサブチャネルが割り当て続けられるとする。
【００２７】
本実施の形態では、端末１１０は、基地局１２０からの呼び出しに備え、各フレームのＢＣＨにあたる部分のみ受信待ちになり、その他の時間は受信待ちの必要がなく、休止している。また、通信時は、端末１１０は、他の端末１１０に割当られた下りユーザチャネル内のサブチャネルを受信待ちにする必要がなく、休止している。なお、これらは従来から行われていることである。
従来においては、端末１１０は、通信時、自身に割り当てられた下りユーザチャネル内のサブチャネルを受信待ちに常にしていた。これに対して、本実施の形態においては、端末１１０は、通信時であっても、メッセージ送信後の一定期間（状態切替時間＝推定待ち時間−保護時間）、自身に割り当てられた下りユーザチャネル内のサブチャネルを受信待ちにせずに、休止する。
【００２８】
端末１１０は、メッセージ送信部１１１、応答受信部１１２、タイマ１１３、記憶部１１４、タイマ設定部１１５、および状態切替部１１６として動作する。
メッセージ送信部１１１は、メッセージを生成し、生成したメッセージをＲＣＨ或いは上りユーザチャネルの割り当てられたサブチャネルを利用して送信する。
応答受信部１１２は、下りユーザチャネルの割り当てられたサブチャネルにより応答を受信する。
タイマ１１３は、時間を計時する。
【００２９】
記憶部１１４は、推定待ち時間と保護時間とを記憶する。ただし、推定待ち時間および保護時間は、夫々は、図１において説明した推定待ち時間および保護時間と同様である。
タイマ設定部１１５は、メッセージ送信部１１１からメッセージ（本実施の形態においては、ユーザ情報通知）を送信したことを示す信号が入力されると、タイマ１１３の計時時間を「０」にする。これにより、タイマ１１３は、メッセージ（本実施の形態においては、ユーザ情報通知）送信後に経過した時間を計時することになる。
【００３０】
状態切替部１１６は、メッセージ送信部１１１からメッセージ（本実施の形態においては、ユーザ情報通知）を送信したことを示す信号が入力されると、応答受信部１１２を下りユーザチャネルの全てのサブチャネルの受信を休止させ、応答受信部１１２を「休止状態」にする。つまり、応答受信部１１２は、下りユーザチャネルの自身に割り当てられたサブチャネル以外のサブチャネルのみならず、下りユーザチャネルの自身に割り当てられたサブチャネルの受信も休止する。なお、全く独立な着呼などがある可能性があるため、ＢＣＨは受信待ちとする。
また、状態切替部１１６は、メッセージ送信部１１１からメッセージ（本実施の形態においては、ユーザ情報通知）を送信したことを示す信号が入力されると、記憶部１１４に記憶されている推定待ち時間と保護時間とを記憶部１１４から取り出す。続いて、状態切替部１１６は、取り出した推定待ち時間から保護時間を減算する（推定待ち時間−保護時間：状態切替時間）。そして、状態切替部１１６は、タイマ１１３の計時時間を利用して、メッセージ（本実施の形態においては、ユーザ情報通知）を送信してから状態切替時間が経過したか否かを判断し、経過していれば、応答受信部１１２を下りユーザチャネルの自身に割り当てられたサブチャネルを受信待ちとする。
【００３１】
ＲＡＮ−ＧW１３０は、メッセージ受信部１３１、メッセージ送信部１３２、タイマ１３３、記憶部１３４、タイマ設定部１３５、応答受信部１３６、応答蓄積部１３７、および応答送信部１３８として動作する。
メッセージ受信部１３１は、端末１１０によって送信されたメッセージを、基地局１２０を中継して、ＲＣＨ或いは上りユーザチャネルの端末１１０に割り当てたサブチャネルにより受信する。
メッセージ送信部１３２は、メッセージ受信部１３１により受信され、メッセージ受信部１３１から入力されるメッセージを交換装置１４０を中継して認証サーバ１５０或いはＡＰＳ１６０へ送信する。
【００３２】
タイマ１３３は時間を計時する。
記憶部１３４は、推定待ち時間を記憶する。ここで、メッセージの送受信および応答の送受信を行う端末１１０とＲＡＮ−ＧW１３０との間では同じ値の推定待ち時間の設定が行われる。
タイマ設定部１３５は、メッセージ受信部１３１からメッセージ（本実施の形態においては、ユーザ情報通知）を受信したことを示す信号が入力されると、タイマ１３３の計時時間を「０」にする。これにより、タイマ１３３は、メッセージ（本実施の形態においては、ユーザ情報通知）を受信した後に経過した時間を計時することになる。
【００３３】
応答受信部１３６は、認証サーバ１５０或いはＡＰＳ１６０の後述する応答送信部１６２によって送信された応答を、交換装置１４０を中継して受信する。応答受信部１３６は、ユーザ情報通知（メッセージの一つ）に対する応答を応答蓄積部１３７に格納する。応答受信部１３６は、ユーザ情報通知以外のメッセージに対する応答を応答送信部１３８へ出力する。
応答蓄積部１３７は、応答受信部１３６によって受信されたユーザ情報通知（メッセージの一つ）に対する応答を記憶する。
【００３４】
応答送信部１３８は、メッセージ受信部１３１からメッセージ（本実施の形態においては、ユーザ情報通知）を受信したことを示す信号が入力されると、記憶部１３４に記憶されている推定待ち時間を記憶部１３４から取り出す。そして、応答送信部１３８は、タイマ１３３の計時時間を利用して、メッセージ（本実施の形態においては、ユーザ情報通知）を受信してから推定待ち時間が経過したか否かを判断し、経過していれば、応答蓄積部１３７に記憶されているユーザ情報通知（メッセージの一つ）に対する応答を取り出し、取り出した応答を端末１１０に対して基地局１２０を中継して送信する。
応答送信部１３８は、応答受信部１３６から入力されるユーザ情報通知以外のメッセージに対する応答を基地局１２０を中継して端末１１０に対して送信する。
【００３５】
ＡＰＳ１６０は、メッセージ受信部１６１、および応答送信部１６２として動作する。
メッセージ受信部１６１は、ＲＡＮ−ＧW１３０のメッセージ送信部１３１によって送信されたメッセージを交換装置１４０を中継して受信する。
応答送信部１６２は、メッセージ受信部１６１によって受信され、メッセージ受信部１６１から入力されるメッセージに基づき応答を生成する。そして、応答送信部１６２は、生成した応答をＲＡＮ−ＧW１３０に対して交換装置１４０を中継して送信する。
【００３６】
次に、上述した通信システムにおいて行われるメッセージの送信および応答の処理について図５および図６を参照しつつ説明する。図５および図６は、図３の通信システムにおいて行われるメッセージの送信および応答の処理の流れを示すシーケンス図である。
端末１１０のメッセージ送信部１１１は、基地局１２０に対して通信用のユーザチャネルの割り当て要求（メッセージ）をＲＣＨにて送信する。そして、基地局１２０は、この通信用のユーザチャネルの割り当て要求を受信する（ステップＳ２０１）。
基地局１２０は、下りユーザチャネルのサブチャネルと上りユーザチャネルのサブチャネルを割り当て、下りユーザチャネルの割り当てたサブチャネルにて割り当てた下りユーザチャネルのサブチャネルと上りユーザチャネルのサブチャネルの情報を含むチャネル割当通知（応答）を端末１１０に対して送信する。そして、端末１１０の応答受信部１１２はチャネル割当通知を受信する（ステップＳ２０２）。
【００３７】
端末１１０のメッセージ送信部１１１は、上りユーザチャネルの割り当てられたサブチャネルにて端末認証用コネクションの設定要求（メッセージ）を送信する。この端末認証用コネクションの設定要求は、基地局１２０により中継され、ＲＡＮ−ＧW１３０のメッセージ受信部１３１により受信されてメッセージ送信部１３２から送信され、交換装置１４０により中継されて、認証サーバ１５０により受信される（ステップＳ２０３）。
認証サーバ１５０は、コネクションを設定し、コネクション設定信号（応答）を送信する。このコネクション設定信号は、交換装置１４０により中継され、ＲＡＮ−ＧW１３０の応答受信部１３６により受信されて応答送信部１３８から送信され、基地局１２０により中継され、端末１１０の応答受信部１１２により下りユーザチャネルの割り当てられたサブチャネルにて受信される（ステップＳ２０４）。
端末１１０は、コネクション設定信号を受信すると、設定完了信号を送信する。この設定完了信号は、基地局１２０、ＲＡＮ−ＧW１３０、交換装置１４０により中継されて、認証サーバ１５０により受信される（ステップＳ２０５）。
【００３８】
端末１１０のメッセージ送信部１１１は、上りユーザチャネルの割り当てられたサブチャネルにて認証情報（メッセージ）を送信する。この認証情報は、基地局１２０により中継され、ＲＡＮ−ＧW１３０のメッセージ受信部１３１により受信されてメッセージ送信部１３２から送信され、交換装置１４０により中継されて、認証サーバ１５０により受信される（ステップＳ２０６）。
認証サーバ１５０は、受信した認証情報を基に認証を行い、ここでは、ネットワークサービスを受ける資格を有する端末であると判断して認証ＯＫ信号（応答）を送信する。この認証ＯＫ信号は、交換装置１４０により中継され、ＲＡＮ−ＧW１３０の応答受信部１３６により受信されて応答送信部１３８から送信され、基地局１２０により中継され、端末１１０の応答受信部１１２により下りユーザチャネルの割り当てられたサブチャネルにて受信される（ステップＳ２０７）。
【００３９】
端末１１０のメッセージ送信部１１１は、上りユーザチャネルの割り当てられたサブチャネルにて端末認証用コネクションの開放要求（メッセージ）を送信する。この端末認証用コネクションの開放要求は、基地局１２０により中継され、ＲＡＮ−ＧW１３０のメッセージ受信部１３１により受信されてメッセージ送信部１３２から送信され、交換装置１４０により中継されて、認証サーバ１５０により受信される（ステップＳ２０８）。
認証サーバ１５０は、コネクションを開放し、コネクション開放信号（応答）を送信する。このコネクション開放信号は、交換装置１４０により中継され、ＲＡＮ−ＧW１３０の応答受信部１３６により受信されて応答送信部１３８から送信され、基地局１２０により中継され、端末１１０の応答受信部１１２により下りユーザチャネルの割り当てられたサブチャネルにて受信される（ステップＳ２０９）。
端末１１０は、コネクション開放信号を受信すると、開放完了信号を送信する。この開放完了信号は、基地局１２０、ＲＡＮ−ＧW１３０、交換装置１４０により中継されて、認証サーバ１５０により受信される（ステップＳ２１０）。
【００４０】
端末１１０のメッセージ送信部１１１は、上りユーザチャネルの割り当てられたサブチャネルにてユーザ情報用コネクションの設定要求（メッセージ）を送信する。このユーザ情報用コネクションの設定要求は、基地局１２０により中継され、ＲＡＮ−ＧW１３０のメッセージ受信部１３１により受信されてメッセージ送信部１３２から送信され、交換装置１４０により中継されて、ＡＰＳ１６０のメッセージ受信部１６１により受信される（ステップＳ２１１）。
ＡＰＳ１６０は、コネクションを設定し、ＡＰＳ１６０の応答送信部１６１はユーザ情報用コネクションの設定要求に対してその応答としてコネクション設定信号を生成し、コネクション設定信号（応答）を送信する。このコネクション設定信号は、交換装置１４０により中継され、ＲＡＮ−ＧW１３０の応答受信部１３６により受信されて応答送信部１３８から送信され、基地局１２０により中継され、端末１１０の応答受信部１１２により下りユーザチャネルの割り当てられたサブチャネルにて受信される（ステップＳ２１２）。
端末１１０は、コネクション設定信号を受信すると、設定完了信号を送信する。この設定完了信号は、基地局１２０、ＲＡＮ−ＧW１３０、交換装置１４０により中継されてＡＰＳ１６０により受信される（ステップＳ２１３）。
【００４１】
端末１１０のメッセージ送信部１１１は、上りユーザチャネルの割り当てられたサブチャネルにてユーザ情報通知（メッセージ）を送信する。このユーザ情報通知は、基地局１２０により中継され、ＲＡＮ−ＧW１３０のメッセージ受信部１３１により受信されてメッセージ送信部１３２から送信され、交換装置１４０により中継されて、ＡＰＳ１６０のメッセージ受信部１６１により受信される（ステップＳ２１４）。
【００４２】
ユーザ情報通知（メッセージ）送信後、端末１１０のタイマ設定部１１５はタイマ１１３の計時時間を「０」にする（ステップＳ２１５）。状態切替部１１６は応答受信部１１２を下りユーザチャネルの全てのサブチャネルの受信を休止させ、応答受信部１１２を「休止状態」にする（ステップＳ２１６）。つまり、応答受信部１１２は、下りユーザチャネルの自身に割り当てられたサブチャネル以外のサブチャネルのみならず、下りユーザチャネルの自身に割り当てられたサブチャネルの受信も休止する。
状態切替部１１６は、記憶部１１４に記憶されている推定待ち時間と保護時間とを記憶部１１４から取り出し、取り出した推定待ち時間から保護時間を減算して状態切替時間を算出する（ステップＳ２１７）。
状態切替部１１６は、タイマ１１３の計時時間を利用して、メッセージ送信部１１１によりユーザ情報通知（メッセージ）が送信されてから状態切替時間が経過したか否かを判断し（ステップＳ２１８）、経過していなければ（Ｓ２１８：ＮＯ）ステップＳ２１８の処理に戻る。一方、経過していれば（Ｓ２１８：ＹＥＳ）、ステップＳ２１９の処理へ進み、状態切替部１１６は、応答受信部１１２を下りユーザチャネルの自身に割り当てられたサブチャネルを受信待ちとする（ステップＳ２１９）。
上記のステップＳ２１５〜ステップＳ２１９の処理により、端末１１０の応答受信部１１２はメッセージ送信部１１１によりユーザ情報通知（メッセージ）が送信されてから状態切替時間が経過するまでの期間下りユーザチャネルの受信を休止する。
【００４３】
ＲＡＮ−ＧW１３０のメッセージ受信部１３１によるユーザ情報通知（メッセージ）受信後、ＲＡＮ−ＧW１３０のタイマ設定部１３５はタイマ１３３の計時時間を「０」にし（ステップＳ２２０）、応答送信部１３８は、記憶部１３４に記憶されている推定待ち時間を記憶部１３４から取り出す（ステップＳ２２１）。
【００４４】
ＡＰＳ１６０のメッセージ受信部１６１によりユーザ情報通知（メッセージ）が受信されると、ＡＰＳ１６０の応答送信部１６２はユーザ情報通知に対する応答としてユーザ情報受信確認信号を生成し、ユーザ情報受信確認信号（応答）を送信する。このユーザ情報受信確認信号（応答）は交換装置１４０に中継されて、ＲＡＮ−ＧW１３０の応答受信部１３６により受信される（ステップＳ２２２）。応答受信部１３６は受信したユーザ情報通知（メッセージ）に対する応答であるユーザ情報受信確認信号を応答蓄積部１３７に格納し、これにより、ＡＰＳ１６０により送信されたユーザ情報受信確認信号（応答）が応答蓄積部１３７に記憶されることになる（ステップＳ２２３）。
【００４５】
応答送信部１３８は、タイマ１３３の計時時間を利用して、ユーザ情報通知（メッセージ）を受信してから推定待ち時間が経過したか否かを判断し（ステップＳ２２４）、経過していなければ（Ｓ２２４：ＮＯ）ステップＳ２２４の処理に戻る。一方、経過していれば（Ｓ２２４：ＹＥＳ）、ステップＳ２２５の処理へ進む。
応答送信部１３８は、応答蓄積部１３７に記憶されているユーザ情報受信確認信号（応答）を取り出し、取り出したユーザ情報受信確認信号を送信する。このユーザ情報受信確認信号は、基地局１２０により中継され、端末１１０の応答受信部１１２により下りユーザチャネルの割り当てられたサブチャネルにて受信される（ステップＳ２２５）。
【００４６】
端末１１０のメッセージ送信部１１１は、上りユーザチャネルの割り当てられたサブチャネルにてユーザ情報用コネクションの開放要求（メッセージ）を送信する。このユーザ情報用コネクションの開放要求は、基地局１２０により中継され、ＲＡＮ−ＧW１３０のメッセージ受信部１３１により受信されてメッセージ送信部１３２から送信され、交換装置１４０により中継されて、ＡＰＳ１６０のメッセージ受信部１６１により受信される（ステップＳ２２６）。
ＡＰＳ１６０は、コネクションを開放し、ＡＰＳ１６０の応答送信部１６１はユーザ情報用コネクションの開放要求に対する応答としてコネクション開放信号を生成し、コネクション開放信号（応答）を送信する。このコネクション開放信号は、交換装置１４０により中継され、ＲＡＮ−ＧW１３０の応答受信部１３６により受信されて応答送信部１３８から送信され、基地局１２０により中継され、端末１１０の応答受信部１１２により下りユーザチャネルの割り当てられたサブチャネルにて受信される（ステップＳ２２７）。
端末１１０は、コネクション開放信号を受信すると、開放完了信号を送信する。この開放完了信号は、基地局１２０、ＲＡＮ−ＧW１３０、交換装置１４０により中継されてＡＰＳ１６０により受信される（ステップＳ２２８）。
【００４７】
端末１１０のメッセージ送信部１１１は、基地局１２０に対して通信用のユーザチャネルの開放要求（メッセージ）を上りユーザチャネルの割り当てられたサブチャネルにて送信する。そして、基地局１２０は、この通信用のユーザチャネルの開放要求を受信する（ステップＳ２２９）。基地局１２０は、下りユーザチャネルの割り当てたサブチャネルにてチャネル開放通知（応答）を端末１１０に対して送信する。そして、端末１１０の応答受信部１１２はチャネル開放通知を受信する（ステップＳ２３０）。
【００４８】
以上説明したように、本実施の形態の通信システムによれば、図１および図２を利用して説明した通信システムと同様の効果を得られる。
また、端末１１０が電力に制約のある無線端末であることから、消費電力の節約をできる本実施の形態はより顕著な効果を奏することになる。
【００４９】
以下、本発明のさらに他の実施の形態について図面を参照しつつ説明する。
まず、本発明のさらに他の実施の形態の構成について図７を参照しつつ説明する。図７は本実施の形態の通信システムの構成を示す構成図である。
図７においては、無線端末などの端末２１０、基地局２２０、無線アクセス網ゲートウェイであるＲＡＮ−ＧW２３０、交換装置２４０、認証サーバ２５０、およびＡＰＳ２６０が設けられている。なお、図３から図６を参照して説明した通信システムの場合と同様、ユーザ情報通知（メッセージ送信の一つ）とその応答に対して一定期間端末２１０は受信を休止するものとして説明する。なお、一定期間端末１１０が受信を休止することはその他のメッセージ送信とその応答に対しても適用できる。
ただし、本実施の形態では、端末２１０がメッセージを送信するメッセージ送信装置、ＲＡＮ−ＧW２３０が応答調整装置、ＡＰＳ２６０が相手装置であるとして説明する。
【００５０】
端末２１０は、メッセージ送信部２１１、応答受信部２１２、タイマ２１３、記憶部２１４、タイマ設定部２１５、および状態切替部２１６として動作する。
メッセージ送信部２１１は、メッセージを生成し、生成したメッセージをＲＣＨ或いは上りユーザチャネルの割り当てられたサブチャネルを利用して送信する。
応答受信部２１２は、下りユーザチャネルの割り当てられたサブチャネルにより応答を受信する。ただし、受信する応答として、ＲＡＮ−ＧW２３０において生成された応答と認証サーバ２５０において生成された応答とＡＰＳ２６０において生成された応答とがある。
タイマ２１３は時間を計時する。
【００５１】
記憶部２１４は、推定待ち時間と保護時間とを記憶する。ただし、推定待ち時間および保護時間は、夫々は、図１において説明した推定待ち時間および保護時間と同様である。
タイマ設定部２１５は、メッセージ（本実施の形態においては、ユーザ情報通知）に対するＲＡＮ−ＧW２３０によって生成された応答（本実施の形態においては、ユーザ情報ＲＡＮ−ＧW受信確認信号）を受信したことを示す信号が応答受信部２１２から入力されると、タイマ２１３の計時時間を「０」にする。これにより、タイマ２１３は、メッセージ（本実施の形態においては、ユーザ情報通知）に対するＲＡＮ−ＧW２３０によって生成された応答（本実施の形態においては、ユーザ情報ＲＡＮ−ＧW受信確認信号）受信後に経過した時間を計時することになる。
【００５２】
状態切替部２１６は、メッセージ（本実施の形態においては、ユーザ情報通知）に対するＲＡＮ−ＧW２３０によって生成された応答（本実施の形態においては、ユーザ情報ＲＡＮ−ＧW受信確認信号：メッセージに対する応答調整装置の通知に相当）を受信したことを示す信号が応答受信部２１２から入力されると、応答受信部２１２を下りユーザチャネルの全てのサブチャネルの受信を休止させ、応答受信部２１２を「休止状態」にする。つまり、応答受信部２１２は、下りユーザチャネルの自身に割り当てられたサブチャネル以外のサブチャネルのみならず、下りユーザチャネルの自身に割り当てられたサブチャネルの受信も休止する。なお、全く独立な着呼などがある可能性があるため、ＢＣＨは受信待ちとする。
また、状態切替部２１６は、メッセージ（本実施の形態においては、ユーザ情報通知）に対するＲＡＮ−ＧW２３０によって生成された応答（本実施の形態においては、ユーザ情報ＲＡＮ−ＧW受信確認信号）を受信したことを示す信号が応答受信部２１２から入力されると、記憶部２１４に記憶されている推定待ち時間と保護時間とを記憶部２１４から取り出す。続いて、状態切替部２１６は、取り出した推定待ち時間から保護時間を減算する（推定待ち時間−保護時間：状態切替時間）。そして、状態切替部２１６は、タイマ２１３の計時時間を利用して、メッセージ（本実施の形態においては、ユーザ情報通知）に対するＲＡＮ−ＧW２３０によって生成された応答（本実施の形態においては、ユーザ情報ＲＡＮ−ＧW受信確認信号）を受信してから状態切替時間が経過したか否かを判断し、経過していれば、応答受信部２１２を下りユーザチャネルの自身に割り当てられたサブチャネルを受信待ちとする。
【００５３】
ＲＡＮ−ＧW２３０は、メッセージ受信部２３１、メッセージ送信部２３２、タイマ２３３、記憶部２３４、タイマ設定部２３５、応答受信部２３６、応答蓄積部２３７、および応答送信部２３８として動作する。
メッセージ受信部２３１は、端末２１０によって送信されたメッセージを、基地局２２０を中継して、ＲＣＨ或いは上りユーザチャネルの端末２１０に割り当てたサブチャネルにより受信する。
メッセージ送信部２３２は、メッセージ受信部２３１により受信され、メッセージ受信部２３１から入力されるメッセージを交換装置２４０を中継して認証サーバ２５０或いはＡＰＳ２６０へ送信する。また、メッセージ送信部２３２は、メッセージ受信部２３１から入力されるメッセージを基に新たにメッセージを生成し、生成したメッセージを交換装置２４０を中継してＡＰＳ２６０へ送信する。
【００５４】
タイマ２３３は時間を計時する。
記憶部２３４は、推定待ち時間を記憶する。ここで、メッセージの送受信および応答の送受信を行う端末２１０とＲＡＮ−ＧW２３０との間では同じ値の推定待ち時間の設定が行われる。
タイマ設定部２３５は、メッセージ受信部２３１からメッセージ（本実施の形態においては、ユーザ情報通知）を受信したことを示す信号が入力されると、タイマ２３３の計時時間を「０」にする。これにより、タイマ２３３は、メッセージ（本実施の形態においては、ユーザ情報通知）を受信した後に経過した時間を計時することになる。
【００５５】
応答受信部２３６は、認証サーバ２５０或いはＡＰＳ２６０によって送信された応答を、交換装置２４０を中継して受信する。応答受信部２３６は、ユーザ情報通知（メッセージの一つ）に対する応答を応答蓄積部２３７に格納する。応答受信部２３６は、ユーザ情報通知以外のメッセージに対する応答を応答送信部２３８へ出力する。
応答蓄積部２３７は、応答受信部２３６によって受信されたユーザ情報通知（メッセージの一つ）に対する応答を記憶する。
【００５６】
応答送信部２３８は、メッセージ受信部２３１からメッセージ（本実施の形態においては、ユーザ情報通知）を受信したことを示す信号が入力されると、記憶部２３４に記憶されている推定待ち時間を記憶部２３４から取り出す。そして、応答送信部２３８は、タイマ２３３の計時時間を利用して、メッセージ受信部２３１によってメッセージ（本実施の形態においては、ユーザ情報通知）が受信されてから推定待ち時間が経過したか否かを判断し、経過していれば、応答蓄積部２３７に記憶されているユーザ情報通知（メッセージの一つ）に対する応答を取り出し、取り出した応答を端末２１０に対して基地局２２０を中継して送信する。
応答送信部２３８は、応答受信部２３６から入力されるメッセージを基地局２２０を中継して端末２１０に対して送信する。
応答送信部２３８は、メッセージ受信部２３１から入力されるメッセージに対する応答を生成して、生成した応答を基地局２２０を中継して端末２１０に対して送信する。
【００５７】
ＡＰＳ２６０は、メッセージ受信部２６１、および応答送信部２６２として動作する。
メッセージ受信部２６１は、ＲＡＮ−ＧW２３０のメッセージ送信部２３１によって送信されたメッセージを交換装置２４０を中継して受信する。
応答送信部２６２は、メッセージ受信部２６１によって受信され、メッセージ受信部２６１から入力されるメッセージに基づき応答を生成する。そして、応答送信部２６２は、生成した応答をＲＡＮ−ＧW２３０に対して交換装置２４０を中継して送信する。
【００５８】
次に、上述した通信システムにおいて行われるメッセージの送信および応答の処理について図８を参照しつつ説明する。図８は、図７の通信システムにおいて行われるメッセージの送信および応答の処理の流れを示すシーケンス図である。なお、図８の処理が行われる前に図５と同様の処理が行われる。
【００５９】
端末２１０のメッセージ送信部２１１は、上りユーザチャネルの割り当てられたサブチャネルにてユーザ情報用第１コネクションの設定要求（メッセージ）を送信する。このユーザ情報用第１コネクションの設定要求は、基地局２２０により中継され、ＲＡＮ−ＧW２３０のメッセージ受信部２３１により受信される（ステップＳ３０１）。
ＲＡＮ−ＧW２３０は第１コネクションの設定を行い、応答送信部２３８は、メッセージ受信部２３１から入力されるユーザ情報用第１コネクションの設定要求に対してその応答として第１コネクション設定信号を生成し、第１コネクション設定信号（応答）を送信する。この第１コネクション設定信号が基地局２２０により中継され、端末２１０の応答受信部２１２により下りユーザチャネルの割り当てられたサブチャネルにて受信される（ステップＳ３０２）。
端末２１０は、第１コネクション設定信号を受信すると、設定完了信号を送信する。この設定完了信号は、基地局２２０により中継されてＲＡＮ−ＧW２３０により受信される（ステップＳ３０３）。
【００６０】
メッセージ送信部２３２は、メッセージ受信部２３１から入力されるユーザ情報用第１コネクションの設定要求に対して新たにユーザ情報用第２コネクションの設定要求（メッセージ）を生成し、ユーザ情報用第２コネクションの設定要求を送信する。このユーザ情報用第２コネクションの設定要求は、交換装置２４０により中継されて、ＡＰＳ２６０のメッセージ受信部２６１により受信される（ステップＳ３０４）。
ＡＰＳ２６０は、第２コネクションを設定し、ＡＰＳ２６０の応答送信部２６１はユーザ情報用第２コネクションの設定要求に対してその応答として第２コネクション設定信号を生成し、第２コネクション設定信号（応答）を送信する。この第２コネクション設定信号は、交換装置２４０により中継され、ＲＡＮ−ＧW２３０の応答受信部２３６により受信される（ステップＳ３０５）。
ＲＡＮ−ＧW２３０は、第２コネクション設定信号を受信すると、設定完了信号を送信する。この設定完了信号は、交換装置２４０により中継されてＡＰＳ２６０により受信される（ステップＳ３０６）。
【００６１】
端末２１０のメッセージ送信部２１１は、上りユーザチャネルの割り当てられたサブチャネルにてユーザ情報通知（メッセージ）を送信する。このユーザ情報通知は、基地局２２０により中継され、ＲＡＮ−ＧW２３０のメッセージ受信部２３１により受信される（ステップＳ３０７）。そして、ユーザ情報通知は、メッセージ受信部２３１からメッセージ送信部２３２に入力され、メッセージ送信部２３２から送信されて、交換装置２４０により中継され、ＡＰＳ２６０のメッセージ受信部２６１により受信される（ステップＳ３０８）。
【００６２】
ＲＡＮ−ＧW２３０の応答送信部２３８は、メッセージ受信部２３１から入力されるユーザ情報通知に対してその応答としてユーザ情報ＲＡＮ−ＧW受信確認信号を生成してユーザ情報ＲＡＮ−ＧW受信確認信号を送信する。このユーザ情報ＲＡＮ−ＧW受信確認信号が基地局２２０により中継され、端末２１０の応答受信部２１２により下りユーザチャネルの割り当てられたサブチャネルにて受信される（ステップＳ３０９）。
【００６３】
端末２１０は、ＲＡＮ−ＧW２３０により生成されたユーザ情報ＲＡＮ−ＧW受信確認信号を受信した後、端末２１０のタイマ設定部２１５はタイマ２１３の計時時間を「０」にする（ステップＳ３１０）。状態切替部２１６は応答受信部２１２を下りユーザチャネルの全てのサブチャネルの受信を休止させ、応答受信部２１２を「休止状態」にする（ステップＳ３１１）。つまり、応答受信部２１２は、下りユーザチャネルの自身に割り当てられたサブチャネル以外のサブチャネルのみならず、下りユーザチャネルの自身に割り当てられたサブチャネルの受信も休止する。
状態切替部２１６は、記憶部２１４に記憶されている推定待ち時間と保護時間とを記憶部１１４から取り出し、取り出した推定待ち時間から保護時間を減算して状態切替時間を算出する（ステップＳ３１２）。
状態切替部２１６は、タイマ２１３の計時時間を利用して、ユーザ情報ＲＡＮ−ＧW受信確認信号（応答）を受信してから状態切替時間が経過したか否かを判断し（ステップＳ３１３）、経過していなければ（Ｓ３１３：ＮＯ）ステップＳ３１３の処理に戻る。一方、経過していれば（Ｓ３１３：ＹＥＳ）、ステップＳ３１４の処理へ進み、状態切替部２１６は、応答受信部２１２を下りユーザチャネルの自身に割り当てられたサブチャネルを受信待ちとする（ステップＳ３１４）。
上記のステップＳ３１０〜ステップＳ３１４の処理により、端末２１０の応答受信部２１２はユーザ情報ＲＡＮ−ＧW受信確認信号を受信してから状態切替時間が経過するまでの期間下りユーザチャネルの受信を休止する。
【００６４】
ＲＡＮ−ＧW２３０のメッセージ受信部２３１によるユーザ情報通知（メッセージ）受信後、ＲＡＮ−ＧW２３０のタイマ設定部２３５はタイマ２３３の計時時間を「０」にし（ステップＳ３１５）、応答送信部２３８は、記憶部２３４に記憶されている推定待ち時間を記憶部２３４から取り出す（ステップＳ３１６）。
【００６５】
ＡＰＳ２６０のメッセージ受信部２６１によりユーザ情報通知（メッセージ）が受信されると、ＡＰＳ２６０の応答送信部２６２はユーザ情報通知に対する応答としてユーザ情報ＡＰＳ受信確認信号を生成してユーザ情報ＡＰＳ受信確認信号（応答）を送信する。このユーザ情報ＡＰＳ受信確認信号（応答）は交換装置２４０に中継されて、ＲＡＮ−ＧW２３０の応答受信部２３６により受信される（ステップＳ３１７）。応答受信部２３６は受信したユーザ情報通知（メッセージ）に対する応答であるユーザ情報ＡＰＳ受信確認信号を応答蓄積部２３７に格納し、これにより、ＡＰＳ２６０により送信されたユーザ情報ＡＰＳ受信確認信号（応答）が応答蓄積部２３７に記憶されることになる（ステップＳ３１８）。
【００６６】
応答送信部２３８は、タイマ２３３の計時時間を利用して、メッセージ受信部２１１によってユーザ情報通知（メッセージ）が受信されてから推定待ち時間が経過したか否かを判断し（ステップＳ３１９）、経過していなければ（Ｓ３１９：ＮＯ）ステップＳ３１９の処理に戻る。一方、経過していれば（Ｓ３１９：ＹＥＳ）、ステップＳ３２０の処理へ進む。
応答送信部２３８は、応答蓄積部２３７に記憶されているユーザ情報ＡＰＳ受信確認信号（応答）を取り出し、取り出したユーザ情報ＡＰＳ受信確認信号を送信する。このユーザ情報ＡＰＳ受信確認信号は、基地局２２０により中継され、端末２１０の応答受信部２１２により下りユーザチャネルの割り当てられたサブチャネルにて受信される（ステップＳ３２０）。
【００６７】
メッセージ送信部２３２は、ユーザ情報用第２コネクションの開放要求（メッセージ）を生成してユーザ情報用第２コネクションの開放要求を送信する。このユーザ情報用第２コネクションの開放要求は、交換装置２４０により中継されて、ＡＰＳ２６０のメッセージ受信部２６１により受信される（ステップＳ３２１）。
ＡＰＳ２６０は、第２コネクションを開放し、ＡＰＳ２６０の応答送信部２６２はユーザ情報用第２コネクションの開放要求に対してその応答として第２コネクション開放信号を生成し、第２コネクション開放信号（応答）を送信する。この第２コネクション開放信号は、交換装置２４０により中継され、ＲＡＮ−ＧW２３０の応答受信部２３６により受信される（ステップＳ３２２）。
ＲＡＮ−ＧW２３０は、第２コネクション開放信号を受信すると、開放完了信号を送信する。この開放完了信号は、交換装置２４０により中継されてＡＰＳ２６０により受信される（ステップＳ３２３）。
【００６８】
端末２１０のメッセージ送信部２１１は、上りユーザチャネルの割り当てられたサブチャネルにてユーザ情報用第１コネクションの開放要求（メッセージ）を送信する。このユーザ情報用第１コネクションの開放要求は、基地局２２０により中継され、ＲＡＮ−ＧW２３０のメッセージ受信部２３１により受信される（ステップＳ３２４）。
ＲＡＮ−ＧW２３０は、第１コネクションを開放し、ＲＡＮ−ＧW２３０の応答送信部２３８はメッセージ送信部２１１から入力されるユーザ情報用第１コネクションの開放要求に対してその応答として第１コネクション開放信号を生成して第１コネクション開放信号（応答）を送信する。この第１コネクション開放信号は、基地局２２０により中継され、端末２１０の応答受信部２１２により下りユーザチャネルの割り当てられたサブチャネルにて受信される（ステップＳ３２５）。
端末２１０は、第１コネクション開放信号を受信すると、開放完了信号を送信する。この開放完了信号は、基地局２２０により中継されてＲＡＮ−ＧW２３０により受信される（ステップＳ３２６）。
【００６９】
端末２１０のメッセージ送信部２１１は、基地局２２０に対して通信用のユーザチャネルの開放要求（メッセージ）を上りユーザチャネルの割り当てられたサブチャネルにて送信する。そして、基地局２２０は、この通信用のユーザチャネルの開放要求を受信する（ステップＳ３２７）。基地局２２０は、下りユーザチャネルの割り当てたサブチャネルにてチャネル開放通知（応答）を端末２１０に対して送信する。そして、端末２１０の応答受信部２１２はチャネル開放通知を受信する（ステップＳ３２８）。
【００７０】
以上説明したように、本実施の形態の通信システムによれば、図１および図２を利用して説明した通信システムと同様の効果を得られる。
また、端末２１０が電力に制約のある無線端末であることから、電力の節約をできる本実施の形態はより顕著な効果を奏することになる。
【００７１】
以上、本発明の好適な実施の形態について説明したが、本発明は上述の実施の形態に限られるものではなく、特許請求の範囲に記載した限りにおいて様々な設計変更が可能なものである。
図３から図６を参照して説明した通信システム、図７および図８を参照して説明した通信システムでは、ＲＡＮ−ＧWにより一定期間応答を蓄積して一定期間経過後に応答を端末に送信するようにしている場合であるが、これに限らず、これを実現するためにＲＡＮ−ＧWに持たせた機能と同様の機能を、例えば、基地局に持たせて、基地局により一定期間応答を蓄積して一定期間経過後に応答を端末に送信するようにしてもよい。
【００７２】
また、上記の各実施の形態においては、推定待ち時間から保護時間を減算した時間経過後に端末の応答受信部を受信待ち状態にしている場合であるが、これに限らず、推定待ち時間経過後に端末の応答受信部を受信待ち状態にするようにしてもよい。
また、メッセージの種別毎に推定待ち時間を設定して、メッセージに対応付けてそのメッセージに設定した推定待ち時間を、端末などのメッセージ送信装置の記憶部とＲＡＮ−ＧWなどの応答調整装置の記憶部との夫々に記憶するようにしてもよい。
【００７３】
尚、上述した各処理部の機能を実現するためのプログラムをコンピュータ読み取り可能な記録媒体に記録して、この記録媒体に記録されたプログラムをコンピュータシステムに読み込ませ、実行することにより上記各種処理を行ってもよい。尚、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【図面の簡単な説明】
【００７５】
【図１】実施の形態の通信システムの構成を示す構成図。
【図２】図１の通信システムにおいて行われるメッセージの送信および応答の処理の流れを示すシーケンス図。
【図３】他の実施の形態の通信システムの構成を示す構成図。
【図４】図３の端末と基地局との間の無線リンクで使用されるフレーム構造を示す図。
【図５】図３の通信システムにおいて行われるメッセージの送信および応答の処理の流れを示すシーケンス図。
【図６】図３の通信システムにおいて行われるメッセージの送信および応答の処理の流れを示すシーケンス図。
【図７】他の実施の形態の通信システムの構成を示す構成図。
【図８】図７の通信システムにおいて行われるメッセージの送信および応答の処理の流れを示すシーケンス図。
【符号の説明】
【００７６】
１  通信システム
２  メッセージ送信装置
３  応答調整装置
４  相手装置
２１  メッセージ送信部
２２  応答受信部
２３  タイマ
２４  記憶部
２５  タイマ設定部
２６  状態切替部
３１  メッセージ受信部
３２  メッセージ送信部
３３  タイマ
３４  記憶部
３５  タイマ設定部
３６  応答受信部
３７  応答蓄積部
３８  応答送信部
４１  メッセージ受信部
４２  応答送信部
【図１】
2007028499.tif 000003
【図２】
2007028499.tif 000004
【図３】
2007028499.tif 000005
【図４】
2007028499.tif 000006
【図５】
2007028499.tif 000007
【図６】
2007028499.tif 000008
【図７】
2007028499.tif 000009
【図８】
2007028499.tif 000010